(57)【特許請求の範囲】
【請求項１】
容器本体の口筒部に装着されるキャップ本体と、キャップ本体とヒンジによって開閉可能に連結された蓋体とからなるヒンジキャップにおいて、
キャップ本体は、注出筒と、蓋体と係合する蓋係合部と、蓋係合部の外縁に連設される外周壁部とを具え、
外周壁部は、外周の上端にヒンジを連設し、外周のヒンジの反対側に、外周から間隔を隔てて円弧状の幅広の挿入口を形成するように連設される円弧状の封緘部材を具え、
封緘部材は、ヒンジの反対側の中央部から両側に延びる円弧状に形成され、幅広の封緘部と、封緘部の両側端から外周壁部の外周に向かって破断可能な弱化部を介して連設される傾斜連結部とからなり、
封緘部には、下部に、下端の両側から切り込まれた係止切欠けと、上端に、両側から中央部付近に向かい上方に突設された封緘突部とが設けられ、  
蓋体は、頂壁と、所定の位置にヒンジが連設され、ヒンジの反対側の外周に指掛け凹部が凹設された外周壁とからなり、
外周壁のヒンジの反対側の外周下部には、閉蓋時にキャップ本体の外周壁部の挿入口に挿入され、封緘部材の封緘部に係合する高さに形成された円弧状の封緘リブが設けられ、
封緘リブの外面下端部には、上部がキャップ本体の封緘部の係止切欠けに係合する係止突部が配設されていることを特徴とする不正防止キャップ。
【請求項２】
封緘リブの外面上部には、指掛け凹部の外面下部から連続する曲面が形成されていることを特徴とする請求項１記載の不正防止キャップ。
【請求項３】
封緘リブの両側面は、上部の平坦側面と、平坦側面の下端から、閉蓋時に、キャップ本体の封緘部材のそれぞれの傾斜連結部の傾斜する内方面に係合する形状の傾斜側面が形成されていることを特徴とする請求項１または２記載の不正防止キャップ。
【発明の詳細な説明】
【技術分野】
【０００１】
本発明は、ヒンジキャップ、とくに不正な開封を防止する機構を具えた不正防止キャップに関するものである。
【背景技術】
【０００２】
液体状あるいは粉体状などの流動性内容物を収納した容器本体の口筒部に、開閉自在なヒンジキャップが装着された各種容器においては、これら内容物が不正に抜き取られたり、詰め替えられないように、また、内容物に有害物質が混入されることがないように、不正な開封を防止することが必要となっている。
【０００３】
そこで、ヒンジキャップの蓋体またはキャップ本体に封緘部材を切離し可能に連設し、未開封状態時に、封緘部材をキャップ本体または蓋体と係合させて閉蓋状態を維持させ、封緘部材の有無で視覚的に開封状態を確認できるようにした不正防止キャップは、従来より知られている（例えば、特許文献１参照）。
【先行技術文献】
【特許文献】
【０００４】
【特許文献１】実開平４−３５５５３号公報
【発明の概要】
【発明が解決しようとする課題】
【０００５】
上記特許文献１記載のヒンジキャップは、蓋体（２）のヒンジ（３）の反対側に押圧片（４）を設け、キャップ本体（１）に薄肉部（６）を介して封緘部材に相当する係合片（７）を取り付けたものである。
【０００６】
上記特許文献１記載のヒンジキャップでは、容器の生産過程において、キャップを未開封の状態で、一つの箱などに多数入れて運搬する際などに、係合片（７）同士が、互いの内側に侵入し、噛み込んだり、引っ張り合って、薄肉部（６）が切断され、係合片（７）がキャップ本体（１）から外れるという問題があった。
【０００７】
本発明は、上記問題を解決することを課題とし、ヒンジキャップに切離し可能に連設した封緘部材により、不正の確認ができるとともに、閉蓋状態をより強固に維持することができ、また、キャップを未開封の状態で、一つの箱などに多数入れて運搬する際などでも、封緘部材同士が噛み込むことを防止し、封緘部材が簡単にキャップ本体から外れないようにした不正防止キャップを提供することを目的とする。
【課題を解決するための手段】
【０００８】
本発明は、上記の課題を解決するため、不正防止キャップとして、容器本体の口筒部に装着されるキャップ本体と、キャップ本体とヒンジによって開閉可能に連結された蓋体とからなるヒンジキャップにおいて、キャップ本体は、注出筒と、蓋体と係合する蓋係合部と、蓋係合部の外縁に連設される外周壁部とを具え、外周壁部は、外周の上端にヒンジを連設し、外周のヒンジの反対側に、外周から間隔を隔てて円弧状の幅広の挿入口を形成するように連設される円弧状の封緘部材を具え、封緘部材は、ヒンジの反対側の中央部から両側に延びる円弧状に形成され、幅広の封緘部と、封緘部の両側端から外周壁部の外周に向かって破断可能な弱化部を介して連設される傾斜連結部とからなり、封緘部には、下部に、下端の両側から切り込まれた係止切欠けと、上端に、両側から中央部付近に向かい上方に突設された封緘突部とが設けられ、蓋体は、頂壁と、所定の位置にヒンジが連設され、ヒンジの反対側の外周に指掛け凹部が凹設された外周壁とからなり、外周壁のヒンジの反対側の外周下部には、閉蓋時にキャップ本体の外周壁部の挿入口に挿入され、封緘部材の封緘部に係合する高さに形成された円弧状の封緘リブが設けられ、封緘リブの外面下端部には、上部がキャップ本体の封緘部の係止切欠けに係合する係止突部が配設されていることを特徴とする構成を採用する。
【０００９】
封緘リブの実施例として、封緘リブの外面上部には、指掛け凹部の外面下部から連続する曲面が形成されていることを特徴とする構成、または、封緘リブの両側面は、上部の平坦側面と、平坦側面の下端から、閉蓋時に、キャップ本体の封緘部材のそれぞれの傾斜連結部の傾斜する内方面に係合する形状の傾斜側面が形成されていることを特徴とする構成を採用する。
【発明の効果】
【００１０】
本発明の不正防止キャップは、ヒンジキャップにおいて、キャップ本体の外周壁部が、蓋係合部の外縁に内周上端が連設される外筒と、外筒の外周に間隔を隔てて連設される外周壁と、外周壁の外周から間隔を隔てて円弧状の幅広の挿入口を形成するように連設される幅広の円弧状の封緘部材とを具え、最初の蓋体閉蓋時に、挿入口内に、蓋体に設けた封緘リブが挿入され、係合することによって、未開封の閉蓋状態をより強固に維持することができる。
【００１１】
また、封緘部材に円弧状に形成された封緘突部で蓋体に設けた指掛け凹部を覆うとともに、封緘部材と封緘リブとの隙間を小さくし、キャップを未開封の状態で、一つの箱などに多数入れて運搬する際などでも、封緘部材同士が、上方または側方から噛み込むことを防止することができ、封緘部材が簡単にキャップ本体から外れないようにすることができる。
【００１２】
また、開蓋の際には、封緘部材と外周壁とを連設する弱化部を破断し、封緘部材が除去されることによって、開蓋可能となるので、封緘部材の状況により、不正開蓋の有無が確認ができる。
【図面の簡単な説明】
【００１３】
【図１】本発明のキャップの斜視図である。
【図２】キャップの閉蓋時の説明図で、（ａ）は上面図、（ｂ）は断面側面図である。
【図３】キャップの説明図で、（ａ）は蓋体の一部断面正面図、（ｂ）はキャップ本体の一部断面正面図である。
【図４】キャップ本体の説明図で、（ａ）は上面図、（ｂ）は側面図である。
【図５】蓋体の説明図で、（ａ）は下面図、（ｂ）は側面図である。
【図６】キャップ本体の封緘部材の作用説明図である。
【図７】封緘部材取外し時の斜視図である。
【発明を実施するための形態】
【００１４】
次に、容器本体の口筒部に装着する本発明の不正防止キャップについて、図面を参照して説明する。
図１、２において、Ａは容器本体の口筒部に装着するキャップ本体、Ｂはキャップ本体ＡにヒンジＣを介して開閉可能に取り付けられた蓋体である。
【００１５】
キャップ本体Ａは、図１〜４に示すように、注出筒１と、注出筒１の外周下部に連設され、蓋体Ｂと係合するリング状の蓋係合部２と、蓋係合部２内縁下面に垂設される内筒３と、蓋係合部２の外縁に内周上端が連設される外周壁部４とを具えている。
【００１６】
注出筒１の内周下部には、隔壁５が設けられ、隔壁５には、支柱を介してプルリング６によって抜栓されたときに除去され、内容液が注出される注出口を形成する除去部７が形成されている。
【００１７】
外周壁部４は、蓋係合部２の外縁に内周上端が連設される外筒８と、外周上端にヒンジＣを連設し、外筒８の外周に間隔ａを隔てて連設される外周壁９と、ヒンジＣの反対側に、外周壁９の外周を上端部付近から下端付近まで覆う高さで形成されるとともに、外周壁９の外周から間隔を隔てて円弧状の幅広の挿入口ｂを形成するように連設される幅広の円弧状の封緘部材１０とを具えている。
【００１８】
外筒８の外周下端と外周壁９の内周下端は、ヒンジＣの反対側に形成される連結片１１と、連結片１１よりヒンジＣ側に間隔をおいて複数形成される破断可能な弱化片１２とを介して連設されている。
【００１９】
封緘部材１０は、外周壁９の外周から一定の間隔を隔て、ヒンジＣの反対側の中央部から両側に延び、円弧状に形成された幅広の封緘部１３と、封緘部１３の両側端から外周壁９の外周に向かう傾斜連結部１４とからなっている。
両方の傾斜連結部１４は、ヒンジＣの反対側から見て、上端側部が広く、下端側部が狭い、逆ハの字を形成するように傾斜して外周壁９側に向かうとともに、封緘部１３の反対側端が破断可能な弱化部１５を介して外周壁９の外周に連設されている。
【００２０】
封緘部１３には、下部に、下端の両側から切り込まれ、中央部付近に平坦な係止下面１６ａを形成した係止切欠け１６と、上端に、両側から中央部付近に向かい上方に突設され、封緘部１３とともに円弧状に形成された封緘突部１７とが設けられている。
【００２１】
蓋体Ｂは、図１〜３、５に示すように、頂壁２０と、頂壁２０の外周縁に垂設され、外周下部の所定の位置にヒンジＣが連設される外周壁２１と、外周壁２１のヒンジＣの反対側の外周下部に連設され、閉蓋時にキャップ本体Ａの外周壁部４の挿入口ｂに挿入されるとともに、封緘部材１０の封緘部１３に係合する高さに形成された円弧状の封緘リブ２２が設けられている
【００２２】
頂壁２０の下面には、閉蓋時に外周がキャップ本体Ａの注出筒１の内周と係合する密封筒２３が垂設されている。
【００２３】
外周壁２１には、内周下部に、閉蓋時にキャップ本体Ａの蓋係合部２の上部外周と係合し、閉蓋状態を維持する係合部２４が設けられている。
外周壁２１のヒンジＣの反対側には、外周に、開蓋時に指先が引掛かるような適切な形状の指掛け凹部２５が凹設され、下端面に、外周壁部４の間隔ａに挿入される円弧状の突部２６が垂設されている。
なお、キャップ本体Ａの封緘部材１０の封緘部１３の封緘突部１７は、指掛け凹部２５を覆うように形成されている。
【００２４】
封緘リブ２２は、内面上部が外周壁２１の外周下部に連設されており、外面上部は、指掛け凹部２５の外面下部から連続する曲面２２ａが形成され、両側面は、上部の平坦側面２２ｂと、平坦側面２２ｂの下端から、閉蓋時に、キャップ本体Ａの封緘部材１０のそれぞれの傾斜連結部１４の傾斜する内方面に係合する形状の傾斜側面２２ｃが形成されている。
【００２５】
封緘リブ２２の外面下端部には、閉蓋時に、上部がキャップ本体Ａの封緘部１３の係止切欠け１６に係合する係止突部２７が配設され、係止突部２７には、上部に外周壁部４の封緘部材１０の係止下面１６ａに係合する上面２７ａと、下部に傾斜面２７ｂが形成されている。
【００２６】
次に、本発明のキャップの作用効果について、説明する。
容器の生産過程においては、まず、キャップを生産し、キャップ本体Ａに蓋体Ｂを閉蓋する。
【００２７】
キャップを最初に閉蓋する際には、蓋体Ｂの封緘リブ２２の係止突部２７の傾斜面２７ｂがキャップ本体Ａの外周壁部４の封緘部材１０の封緘部１３内面に当接し、封緘部材１０を僅かに変形させながら、封緘リブ２２をキャップ本体Ａの外周壁部４の挿入口ｂ内に挿入させていく。
【００２８】
最後は、封緘リブ２２の係止突部２７が封緘部材１０の係止切欠け１６内に嵌挿され、封緘部材１０の変形が解かれるとともに、封緘部材１０の封緘部１３の内側面および両側の傾斜連結部１４の内面に、封緘リブ２２の外側面および両側面の傾斜側面２２ｃが当接し、封緘リブ２２が挿入口ｂ内に嵌入する。
また、キャップ本体Ａの蓋係合部２の上部外周と蓋体Ｂの係合部２４の内周が係合し、未開封状態として閉蓋される。
【００２９】
容器本体にキャップの装着前、または、容器本体にキャップを装着した後の、キャップの未開封状態では、キャップ本体Ａの蓋係合部２と蓋体Ｂの係合部２４の係合の他に、封緘リブ２２の係止突部２７が封緘部材１０の係止切欠け１６内に嵌挿され、封緘リブ２２の係止突部２７の上面２７ａが封緘部材１０の係止切欠け１６の係止下面１６ａに係合することによって、閉蓋状態をより強固に維持することができる。
【００３０】
未開封状態から、無理に開蓋しようとしても、封緘リブ２２の係止突部２７の上面２７ａが封緘部材１０の係止切欠け１６の係止下面１６ａに係合しているとともに、封緘リブ２２の外面と封緘部材１０の内面とが当接して抵抗となっているので、簡単に開蓋することができない。
【００３１】
未開封状態では、キャップ本体Ａの封緘部材１０の封緘部１３の封緘突部１７が、蓋体Ｂの外周壁２１の指掛け凹部２５を覆うので、封緘部材１０を外さないと、指などを指掛け凹部２５に掛けることができず、開蓋を防止することができる。
【００３２】
容器の生産過程において、容器本体にキャップを装着する前に、キャップを未開封の状態で、一つの箱などに多数入れて運搬することは多々ある。
その際、本発明のキャップでは、キャップ本体Ａの封緘部材１０の封緘突部１７が、円弧状に形成されているので、多数入れられたキャップの封緘突部１７同士が、図６に示すように、互いの内側に侵入し、噛み込み、引っ張り合って、封緘部材１０を外周壁９から外してしまうことを防止することができる。
【００３３】
また、キャップ本体Ａの封緘部材１０の挿入口ｂ内に、蓋体Ｂの封緘リブ２２の傾斜側面２２ｃの部分が嵌入して挿入口ｂを塞ぎ、未開封状態の封緘部材１０と封緘リブ２２との間に隙間を小さくするとともに、封緘リブ２２の平坦側面２２ｂおよびその付近の部分がキャップ本体Ａの挿入口ｂより上方に突出する。
【００３４】
封緘リブ２２の側面を平坦な平坦側面２２ｂとしていることで、封緘リブ２２の側面の端部が湾曲したものに比べ、多数入れられた他のキャップの封緘突部１７や他の部分が封緘リブ２２の側面に当接する個所が広くなるので、キャップ本体Ａの挿入口ｂより上方に突出した封緘リブ２２の平坦側面２２ｂおよびその付近の部分が、封緘突部１７の内方に、他のキャップの封緘突部１７や他の部分が侵入することを防ぐことができる。
また、封緘リブ２２の側面の端部が湾曲したものに比べ、封緘部材１０内側面と封緘リブ２２のキャップ本体Ａの挿入口ｂより上方に突出する部分との間の隙間を小さくすることができるので、横側の隙間から、多数入れられた他のキャップの封緘突部１７や他の部分が封緘部材１０の内方に侵入し、噛み込み、引っ張り合ったりすることを防止することができる。
【００３５】
次に、閉蓋したキャップを、内容物を充填した容器本体の口筒部に打栓などによって装着し、キャップを閉蓋した容器とする。
【００３６】
本発明の容器内の内容物を使用するために、キャップを最初に開蓋する際には、まず、キャップ本体Ａの封緘部材１０の封緘突部１７の上部の中央部より左右いずれか側に指を掛け、前方に引っ張る。
【００３７】
封緘部材１０の封緘突部１７の上部の左右いずれか側を引っ張ることで、その側の封緘部材１０の封緘部１３および傾斜連結部１４を引っ張り、その側の弱化部１５を上方から切断していき、最後は、図７に示すように、その側の傾斜連結部１４を外周壁９から完全に離す。
【００３８】
本発明のキャップ本体Ａの封緘部材１０と外周壁９は、両側の傾斜連結部１４および弱化部１５が外周壁９に対して、上側部が下側部に向かい中央部側に傾斜するように形成されているので、傾斜のないものに比べ、弱化部１５を上方から下方に切り裂いていく抵抗となり、ある程度の力を加えないと切り裂けないようになっている。
【００３９】
また、封緘部材１０は、外周壁９に対して、両側の弱化部１５を介して、ヒンジＣの反対側から見て逆ハの字状に傾斜して連設されているので、封緘部材１０の中央部を引っ張っても、抵抗となり、余程強く引っ張らないと、弱化部１５を切り裂いて封緘部材１０を外周壁９から外すことができないようになっている。
【００４０】
左右のいずれかの傾斜連結部１４を切り離したら、さらに封緘部材１０を引っ張り、反対側の弱化部１５を切断し、外周壁９から傾斜連結部１４を切り離し、封緘部材１０をキャップ本体Ａから除去する。
【００４１】
左右のいずれかの傾斜連結部１４を切り離した後、または、封緘部材１０をキャップ本体Ａから除去した後は、蓋体Ｂの封緘リブ２２と封緘部材１０との係合が外され、キャップ本体Ａの蓋係合部２と蓋体Ｂの係合部２４の係合で閉蓋状態を維持することとなる。
【００４２】
次に、蓋体Ｂの外周壁２１の指掛け凹部２５に指を掛け、蓋体Ｂを押し上げ、開蓋する。
その際、閉蓋状態を維持しているのが、キャップ本体Ａの蓋係合部２と蓋体Ｂの係合部２４との係合のみとなり、簡単に開蓋することができる。
【００４３】
蓋体Ｂを押し上げる際に、指掛け凹部２５に掛けた指の外周壁２１より下方に位置する部分が、封緘リブ２２の外面に当接することにより、指がキャップ本体Ａの注出筒１の外方に接触することを防止でき、指または注出筒１を汚すこと無く清潔に開蓋することができる。
【００４４】
また、封緘リブ２２に当接する指が、指掛け凹部２５の外面下部から連続する曲面２２ａに当接するので、押し上げる際の指に当たる感触が柔らかくなり、指を痛めたり、不快な感じがすることを防止することができる。
【００４５】
開蓋後に、キャップ本体Ａの隔壁５から除去部７を抜栓して注出口を開口し、容器を傾けることによって、注出筒１を介して内容物を注出する。
【００４６】
本発明のキャップは、未開封状態から開蓋する際に、キャップ本体Ａの外周壁部４から弱化部１５を切断しないと開蓋されないので、封緘部材１０および弱化部１５の状態により、開封されたことを容易に視認することができるとともに、不正に開封されたことが外観から容易に確認できる。
【００４７】
蓋体Ｂをキャップ本体Ａに再び閉蓋することで、蓋体Ｂの密封筒２３外周下部がキャップ本体Ａの注出筒１の内周上部に係合し、キャップＡ内を密封することができ、キャップ本体Ａの隔壁５の開封後も、繰り返し蓋体Ｂを開閉して内容液を使用することができる。
【００４８】
本発明のキャップは、容器内の内容物を全部使用した後、容器本体から分別して廃棄することができる。
その際には、キャップを開蓋し、蓋体Ｂを上方に引張ると、ヒンジＣを介してキャップ本体Ａの外周壁９が引っ張られ、弱化片１２が切断される。
弱化片１２が切断されると、外周壁９は外周壁部４の外筒８から離れて変形しながらヒンジＣの反対側の連結片１１を引っ張り、連結片１１を介して、外周壁部４の外筒８のヒンジＣの反対側の下部を引っ張る。
外筒８の下部の一部が引っ張り上げられると、外筒８が変形し、キャップ本体Ａと容器本体の口筒部との嵌合が外され、キャップと容器本体とを分別廃棄することができる。
【００４９】
上記実施形態では、不正キャップとして、キャップ本体Ａの外周壁部４が、蓋係合部２の外縁に内周上端が連設される外筒８と、外周上端にヒンジＣを連設し、外筒８の外周に間隔ａを隔てて連設される外周壁９と、封緘部材１０とを具えており、容器内の内容物を全部使用した後、蓋体Ｂを引っ張り、ヒンジＣを介して外周壁９を引っ張り、簡単に容器本体とキャップを分別廃棄できるようにしているが、別に、容器本体とキャップを簡単に分別廃棄をすることを考えなければ、キャップ本体の外周壁部が、リング状の蓋係合部の外縁に内周上端が連設されるとともに、外周に、ヒンジと、ヒンジの反対側に封緘部材を連設したものでもよい。
キャップ本体の外周壁部は、外周の所定の位置に封緘部材を連設する構成であれば、上記実施形態に限定されない。
【産業上の利用可能性】
【００５０】
本発明の不正防止キャップは、開封後も繰り返し蓋体を開閉して内容物を使用することができる通常のヒンジキャップとして広く採用することができ、とくに安全を確保することが強く要求される飲料用、食品用などの容器のキャップに採用して好適である。
【符号の説明】
【００５１】
Ａ          キャップ本体
Ｂ          蓋体
Ｃ          ヒンジ
ａ          間隔
ｂ          挿入口
１          注出筒
２          蓋係合部
３          内筒
４          外周壁部
５          隔壁
６          プルリング
７          除去部
８          外筒
９          外周壁
１０        封緘部材
１１        連結片
１２        弱化片
１３        封緘部
１４        傾斜連結部
１５        弱化部
１６        係止切欠け
１６ａ      係止下面
１７        封緘突部
２０        頂壁
２１        外周壁
２２        封緘リブ
２２ａ      曲面
２２ｂ      平坦側面
２２ｃ      傾斜側面
２３        密封筒
２４        係合部
２５        指掛け凹部
２６        突部
２７        係止突部
２７ａ      上面
２７ｂ      傾斜面
【図１】
0005704996.tif 000002
【図２】
0005704996.tif 000003
【図３】
0005704996.tif 000004
【図４】
0005704996.tif 000005
【図５】
0005704996.tif 000006
【図６】
0005704996.tif 000007
【図７】
0005704996.tif 000008